(57)【要約】【課題】小形化を図ることができるとともに、制動動作をより確実に行うことができる乗客コンベヤの補助制動装置、及び乗客コンベヤを得る。【解決手段】係合用ポール２２は、駆動チェーンの移動により回転されるラチェットホイール１６に接触して制動力を与える制動位置と、ラチェットホイール１６から離れてラチェットホイール１６の回転を許容する解除位置との間で変位可能になっている。破断検出体は、駆動チェーンが破断すると、駆動チェーンに載せられた保持位置から、保持位置と異なる検出位置へ変位される。押し部材２５は、係合用ポール２２に対して独立して変位可能でかつ破断検出体と一体に変位される。また、押し部材２５は、破断検出体の保持位置から検出位置への変位により、係合用ポール２２を押しながら、係合用ポール２２を解除位置から制動位置へ変位させる。【選択図】図５
2013147299.tif 000002
【特許請求の範囲】
【請求項１】
駆動チェーンの移動により回転される回転体に接触して上記回転体に制動力を与える制動位置と、上記回転体から離れて上記回転体の回転を許容する解除位置との間で変位可能な制動体、
給電の制御により上記制動位置と上記解除位置との間で上記制動体を変位させるアクチュエータ、
上記駆動チェーンに摺動可能に載せられ、上記駆動チェーンが破断すると、上記駆動チェーンに載せられた保持位置から、上記保持位置と異なる検出位置へ変位される破断検出体、及び
上記制動体に対して独立して変位可能でかつ上記破断検出体と一体に変位され、上記破断検出体の上記保持位置から上記検出位置への変位により、上記制動体を押しながら、上記制動体を上記解除位置から上記制動位置へ変位させる押し部材
を備えていることを特徴とする乗客コンベヤの補助制動装置。
【請求項２】
上記破断検出体及び上記押し部材は、共通の回動軸の軸線を中心に一体に回動可能になっていることを特徴とする請求項１に記載の乗客コンベヤの補助制動装置。
【請求項３】
上記破断検出体は、上記駆動チェーン上で摺動するシューと、上記シューに回動可能に接続され、上記回動軸の軸線を中心に回動可能なレバーとを有していることを特徴とする請求項２に記載の乗客コンベヤの補助制動装置。
【請求項４】
上記制動体は、上記回動軸の軸線を中心に回動可能になっており、上記回動軸の軸線を中心とする上記制動体の回動により上記制動体が上記制動位置と上記解除位置との間で変位されることを特徴とする請求項２又は請求項３に記載の乗客コンベヤの補助制動装置。
【請求項５】
上記押し部材は、上記制動体に上方から係合する突出部を有し、上記突出部よりも上記制動位置に近づく方向への上記制動体の変位を許容し、上記突出部よりも上記解除位置に近づく方向への上記制動体の変位を阻止するようになっていることを特徴とする請求項４に記載の乗客コンベヤの補助制動装置。
【請求項６】
上記破断検出体は、上記アクチュエータの力に逆らって、上記押し部材で押しながら上記制動体を上記制動位置へ変位させるだけの質量を持つことを特徴とする請求項１〜請求項５のいずれか一項に記載の乗客コンベヤの補助制動装置。
【請求項７】
請求項１〜請求項６のいずれか一項に記載の乗客コンベヤの補助制動装置を備えていることを特徴とする乗客コンベヤ。
【発明の詳細な説明】
【技術分野】
【０００１】
この発明は、乗客コンベヤ（例えばエスカレータや動く歩道等）に異常が発生したときに制動動作を行う乗客コンベヤの補助制動装置、及び補助制動装置を備えた乗客コンベヤに関するものである。
【背景技術】
【０００２】
従来、駆動機の駆動力を受けて回転される駆動スプロケットをフックで挟むことにより駆動スプロケットに制動力を与えるようにした乗客コンベヤの補助制動装置が知られている。駆動スプロケットに駆動機の駆動力を伝達する駆動チェーンには、シューが載せられている。フックには、共通のリンクが回動可能に接続されている。共通のリンクには、シューに接続された一方のリンクと、電磁弁の作動により変位される他方のリンクとが接続されている。駆動チェーンが破断すると、シューが落下して、駆動スプロケットに制動力を与える位置にフックが回動される。また、駆動チェーンの破断以外の異常が発生したとき（例えば踏段の速度が異常になったとき等）には、電磁弁の作動により、駆動スプロケットに制動力を与える位置にフックが回動される。即ち、従来、駆動チェーンの破断による異常、及び駆動チェーンの破断以外の異常のいずれの場合でも、共通のフックで駆動スプロケットに制動力を与える乗客コンベヤの補助制動装置が提案されている（例えば特許文献１参照）。
【先行技術文献】
【特許文献】
【０００３】
【特許文献１】特開昭６１−２９５９９０号公報
【発明の概要】
【発明が解決しようとする課題】
【０００４】
しかし、従来の乗客コンベヤの補助制動装置では、フックに接続された共通のリンクと、シューに接続された一方のリンクと、電磁弁の作動により変位される他方のリンクとが、互いに連結されているので、例えば電磁弁が作動しても、リンクの変位の不具合等によって駆動チェーン上のシューに保持されたままフックが回動しなくなってしまうおそれがある。また、複数のリンクが必要になるので、補助制動装置全体が大形化するとともに構造が複雑化してしまう。
【０００５】
この発明は、上記のような課題を解決するためになされたものであり、小形化を図ることができるとともに、制動動作をより確実に行うことができる乗客コンベヤの補助制動装置、及び乗客コンベヤを得ることを目的とする。
【課題を解決するための手段】
【０００６】
この発明に係る乗客コンベヤの補助制動装置は、駆動チェーンの移動により回転される回転体に接触して回転体に制動力を与える制動位置と、回転体から離れて回転体の回転を許容する解除位置との間で変位可能な制動体、給電の制御により制動位置と解除位置との間で制動体を変位させるアクチュエータ、駆動チェーンに摺動可能に載せられ、駆動チェーンが破断すると、駆動チェーンに載せられた保持位置から、保持位置と異なる検出位置へ変位される破断検出体、及び制動体に対して独立して変位可能でかつ破断検出体と一体に変位され、破断検出体の保持位置から検出位置への変位により、制動体を押しながら、制動体を解除位置から制動位置へ変位させる押し部材を備えている。
【発明の効果】
【０００７】
この発明に係る乗客コンベヤの補助制動装置によれば、破断検出体及び押し部材のそれぞれに制動体をリンクで連結する必要がなくなり、小形化を図ることができるとともに、制動動作をより確実に行うことができる。
【図面の簡単な説明】
【０００８】
【図１】この発明の実施の形態１によるエスカレータを示す側面図である。
【図２】図１のスプロケット装置を示す断面図である。
【図３】図１の補助制動装置を示す正面図である。
【図４】図３の破断検出体側から見たときの補助制動装置を示す側面図である。
【図５】図３の係合用ポール側から見たときの補助制動装置を示す側面図である。
【図６】図５の係合用ポールが制動位置にあるときの補助制動装置を示す側面図である。
【図７】駆動チェーンが破断したときの図５の補助制動装置を示す側面図である。
【発明を実施するための形態】
【０００９】
実施の形態１．
図１は、この発明の実施の形態１によるエスカレータ（乗客コンベヤ）を示す側面図である。図において、トラス（主枠）１には、上部乗降口と下部乗降口との間を循環移動する複数の踏段２が支持されている。各踏段２は、踏段２の幅方向両側に配置された一対の踏段チェーン３により無端状に連結されている。トラス１上には、トラス１の幅方向について対向する一対の欄干４が立設されている。各欄干４の周縁部には、欄干４を囲む所定の経路上を周回移動する無端状の移動手摺５が設けられている。踏段２及び移動手摺５は、互いに同期して移動される。
【００１０】
トラス（主枠）１の長手方向一端部（上端部）内には、駆動機６と、駆動機６の駆動力を受けて回転されるスプロケット装置７と、エスカレータの異常時に制動動作を行ってスプロケット装置７に制動力を与える補助制動装置８と、エスカレータの運転を制御する制御装置（図示せず）とが設けられている。
【００１１】
駆動機６は、モータ及び主制動装置を含む駆動機本体９と、駆動機本体９に設けられ、駆動機本体９により回転される駆動機スプロケット１０とを有している。駆動機スプロケット１０には、駆動機本体９のモータにより駆動力（回転力）が与えられ、駆動機本体９の主制動装置の動作により制動力が与えられる。
【００１２】
ここで、図２は、図１のスプロケット装置７を示す断面図である。スプロケット装置７は、トラス１の幅方向に沿って配置された主軸１１と、主軸１１にそれぞれ固定された駆動スプロケット１２及び一対の上部踏段スプロケット１３とを有している。主軸１１、駆動スプロケット１２及び各上部踏段スプロケット１３は、主軸１１の軸線を中心に一体に回転される。
【００１３】
駆動機スプロケット１０及び駆動スプロケット１２間には、図１に示すように、無端状の駆動チェーン１４が巻き掛けられている。駆動チェーン１４には、駆動チェーン１４が弛まないように所定の張力が与えられている。駆動チェーン１４は、駆動機スプロケット１０の回転により移動される。駆動スプロケット１２は、駆動チェーン１４の移動により回転される。これにより、駆動機６の駆動力は、駆動チェーン１４を介して駆動スプロケット１２に伝達される。主軸１１、駆動スプロケット１２及び各上部踏段スプロケット１３は、駆動スプロケット１２が駆動機６からの駆動力を受けることにより一体に回転される。
【００１４】
トラス１の長手方向他端部（下端部）内には、トラス１の幅方向に沿って配置された下部スプロケット軸の軸線を中心に回転可能な一対の下部踏段スプロケット１５が設けられている。
【００１５】
踏段チェーン３は、上部踏段スプロケット１３及び下部踏段スプロケット１５間に巻き掛けられている。また、踏段チェーン３は、上部踏段スプロケット１３の回転により移動される。各踏段２は、踏段チェーン３の移動により移動される。
【００１６】
主軸１１には、図２に示すように、外周部に複数の歯（係合部）１６ａを有するラチェットホイール（回転体）１６が固定されている。ラチェットホイール１６は、主軸１１の軸線を中心に、主軸１１、駆動スプロケット１２及び上部踏段スプロケット１３と一体に回転される。
【００１７】
図３は、図１の補助制動装置８を示す正面図である。図において、補助制動装置８は、トラス１の幅方向に沿ってトラス１に取り付けられた取付部材１７に支持されている。また、補助制動装置８は、主軸１１と平行に配置された回動軸２１と、回動軸２１に回動可能に設けられ、ラチェットホイール１６に接触してラチェットホイール１６に制動力を与える制動位置とラチェットホイール１６から離れてラチェットホイール１６の回転を許容する解除位置との間で変位可能な係合用ポール（制動体）２２と、給電の制御により制動位置と解除位置との間で係合用ポール２２を変位させる駆動力を発生するアクチュエータ（電磁アクチュエータ）２３（後述の図５〜図７参照）と、回動軸２１に設けられ、駆動チェーン１４に摺動可能に載せられた破断検出体２４と、回動軸２１に設けられ、係合用ポール２２と係合可能な押し部材２５とを有している。回動軸２１は、取付部材１７に対して回動軸２１の軸線を中心に回転自在に設けられている。
【００１８】
ここで、図４は、図３の破断検出体２４側から見たときの補助制動装置８を示す側面図である。また、図５は、図３の係合用ポール２２側から見たときの補助制動装置８を示す側面図である。さらに、図６は、図５の係合用ポール２２が制動位置にあるときの補助制動装置８を示す側面図である。回動軸２１には、係合用ポール２２の中間部が回転自在に設けられている。係合用ポール２２の上端部には、アクチュエータ２３が接続されている。係合用ポール２２は、回動軸２１の軸線を中心とする回動により、制動位置（図６）と、制動位置よりも上方に位置する解除位置（図５）との間で変位される。係合用ポール２２が制動位置にあるときには、図６に示すように、係合用ポール２２の下端部がラチェットホイール１６の外周部の歯１６ａに係合することにより、ラチェットホイール１６に制動力が与えられ、ラチェットホイール１６の回転が阻止される。
【００１９】
アクチュエータ２３は、取付部材１７に設けられたアクチュエータ取付金具２６に支持されている。また、アクチュエータ２３は、制動位置へ変位させる方向へ係合用ポール２２を付勢する図示しないばね（付勢体）と、給電を受けることによりばねの付勢力に逆らって、係合用ポール２２を解除位置へ変位させる図示しない電磁コイルとを有している。アクチュエータ２３への給電は、エスカレータの正常運転が行われている時に継続され、制御装置がエスカレータの異常を検出することにより制御装置の制御により停止される。即ち、エスカレータの正常運転時には、アクチュエータ２３への給電が制御装置により行われて係合用ポール２２が解除位置（図５）に変位されており、エスカレータの異常が制御装置により検出されると、アクチュエータ２３への給電が制御装置の制御により停止されてばねの付勢力により係合用ポール２２が制動位置（図６）へ変位される。従って、アクチュエータ２３は、制御装置による給電の制御により、制動位置と解除位置との間で係合用ポール２２を変位させる。
【００２０】
破断検出体２４及び押し部材２５は、共通の回動軸２１に互いに離して固定されている。従って、破断検出体２４及び押し部材２５は、共通の回動軸２１の軸線を中心に回動軸２１と一体に回動される。係合用ポール２２が回動軸２１に回動可能に設けられていることから、破断検出体２４及び押し部材２５は、係合用ポール２２に対して独立して変位可能になっている。
【００２１】
破断検出体２４は、駆動チェーン１４が破断すると、回動軸２１の軸線を中心とする回動により、駆動チェーン１４に載せられた保持位置から、保持位置と異なる検出位置へ変位される。この例では、検出位置が保持位置よりも下方に位置している。また、この例では、破断検出体２４が、駆動チェーン１４が破断すると、保持位置から検出位置へ自重で変位される。また、破断検出体２４は、駆動チェーン１４上で摺動可能なシュー２７と、一端部がシュー２７に回動可能に接続され、他端部が回動軸２１に固定されたレバー２８とを有している。
【００２２】
押し部材２５は、一端部が回動軸２１に固定されたアーム部２９と、アーム部２９の他端部から側方へ突出し、係合用ポール２２に上方から係合する突出板（突出部）３０とを有している。
【００２３】
アーム部２９は、図３に示すように、係合用ポール２２に対して回動軸２１の軸線方向へ位置をずらすことにより、係合用ポール２２が変位される経路を避けて配置されている。突出板３０は、回動軸２１の軸線方向について係合用ポール２２に重なる位置に配置されている。これにより、押し部材２５は、突出板３０のみを係合用ポール２２に係合させた状態で係合用ポール２２を押すようになっている。また、押し部材２５は、突出板３０よりも制動位置に近づく方向への係合用ポール２２の変位を許容し、突出板３０よりも解除位置に近づく方向への係合用ポール２２の変位を阻止するようになっている。
【００２４】
図７は、駆動チェーン１４が破断したときの図５の補助制動装置８を示す側面図である。押し部材２５は、回動軸２１及び破断検出体２４と一体に回動することから、駆動チェーン１４が破断すると、破断検出体２４の保持位置から検出位置への変位に応じて回動軸２１の軸線を中心に回動される。押し部材２５は、破断検出体２４の保持位置から検出位置への変位により、突出板３０が係合用ポール２２に係合した状態で係合用ポール２２を押しながら、係合用ポール２２を解除位置から制動位置へ変位させる。
【００２５】
押し部材２５は、係合用ポール２２を解除位置から制動位置へ変位させるときに、破断検出体２４の自重による付勢力で、アクチュエータ２３の力に逆らって、保持位置から検出位置へ変位される。即ち、破断検出体２４は、アクチュエータ２３の力に逆らって、押し部材２５で押しながら係合用ポール２２を制動位置へ変位させるだけの質量を持っている。
【００２６】
取付部材１７には、図５〜図７に示すように、係合用ポール２２が解除位置にあるか否かを検出する解除検出スイッチ（制動解除検出装置）３１がスイッチ取付金具３２を介して取り付けられている。解除検出スイッチ３１は、解除位置へ変位された係合用ポール２２で操作されることにより、係合用ポール２２が解除位置に達したことを検出する。
【００２７】
また、取付部材１７には、図４に示すように、破断検出体２４が検出位置にあるか否かを検出する破断検出スイッチ（チェーン破断検出装置）３３がスイッチ取付金具３４を介して取り付けられている。レバー２８の回動軸２１に固定された他端部には、弧状の外周部を持つ突起である操作部３５が設けられている。破断検出スイッチ３３は、破断検出体２４の検出位置への変位に伴って回動されたレバー２８の操作部３５で操作される。また、破断検出スイッチ３３は、操作部３５で操作されることにより、破断検出体２４の検出位置への変位を検出し、駆動チェーン１４が破断したことを検出する。
【００２８】
解除検出スイッチ３１及び破断検出スイッチ３３のそれぞれからの情報は、エスカレータの制御装置へ送られる。制御装置は、解除検出スイッチ３１及び破断検出スイッチ３３のそれぞれからの情報に基づいて、エスカレータの運転を制御する。
【００２９】
次に、動作について説明する。正常運転時には、制御装置の制御によりアクチュエータ２３への給電が行われている。これにより、図５に示すように、係合用ポール２２がアクチュエータ２３で解除位置へ変位され、係合用ポール２２のラチェットホイール１６に対する係合が外れている。これにより、スプロケット装置７の回転が許容されている。また、正常運転時には、解除検出スイッチ３１が係合用ポール２２で操作されることにより、スプロケット装置７に対する制動力の付与の解除が制御装置で確認されている。さらに、正常運転時には、破断検出体２４が駆動チェーン１４に載せられたまま破断検出スイッチ３３の操作が回避されていることにより、駆動チェーン１４の破断が生じていないことが制御装置で確認されている。
【００３０】
正常運転時には、制御装置の制御により駆動機６の駆動機スプロケット１０が回転されると、シュー２７が駆動チェーン１４に載ったまま駆動チェーン１４が周回移動される。これにより、主軸１１、駆動スプロケット１２、上部踏段スプロケット１３及びラチェットホイール１６が一体に回転され、踏段２及び移動手摺５が互いに同期しながら移動される。
【００３１】
例えば何らかの原因で踏段２の速度が過大になったり過小になったりする異常が生じた場合には、制御装置の制御により、アクチュエータ２３への給電が停止される。このとき、制御装置の制御により、駆動機６の駆動停止、及び駆動機６の主制動装置の制動動作も行われる。アクチュエータ２３への給電が停止されると、図６に示すように、係合用ポール２２が解除位置から制動位置へ変位され、係合用ポール２２がラチェットホイール１６の外周部の歯１６ａに係合する。これにより、ラチェットホイール１６及びスプロケット装置７に制動力が与えられ、ラチェットホイール１６及びスプロケット装置７の回転が阻止される。
【００３２】
一方、駆動チェーン１４が破断する異常が生じた場合には、破断検出体２４が保持位置から検出位置へ自重で変位されて、破断検出スイッチ３３が操作される。破断検出スイッチ３３が操作されると、制御装置の制御により、アクチュエータ２３への給電が停止される。このとき、制御装置の制御により、駆動機６の駆動停止、及び駆動機６の主制動装置の制動動作も行われる。アクチュエータ２３への給電が停止されると、上記と同様の動作により、ラチェットホイール１６及びスプロケット装置７に制動力が与えられ、ラチェットホイール１６及びスプロケット装置７の回転が阻止される。
【００３３】
また、破断検出スイッチ３３の動作不良や位置調整不良等によってアクチュエータ２３への給電が停止されない場合であっても、破断検出体２４が検出位置へ変位されると、図７に示すように、押し部材２５が破断検出体２４と一体に回動される。これにより、係合用ポール２２が押し部材２５で押されながら解除位置から制動位置へ変位され、係合用ポール２２がラチェットホイール１６の外周部の歯１６ａに係合する。これにより、ラチェットホイール１６及びスプロケット装置７に制動力が与えられ、ラチェットホイール１６及びスプロケット装置７の回転が阻止される。
【００３４】
このような補助制動装置８では、一体に変位可能な破断検出体２４及び押し部材２５が係合用ポール２２に対して独立して変位可能になっており、駆動チェーン１４が破断すると、駆動チェーン１４に載せられた破断検出体２４が検出位置へ変位されることにより、押し部材２５が係合用ポール２２を押しながら係合用ポール２２を解除位置から制動位置へ変位させるようになっているので、破断検出体２４及び押し部材２５のそれぞれに係合用ポール２２をリンクで連結する必要がなくなる。これにより、部品点数を減らすことができ、構造の簡素化及び小形化を図ることができる。また、破断検出体２４及び押し部材２５のそれぞれに係合用ポール２２をリンクで連結する必要がなくなるので、リンクの変位の不具合による動作異常の発生を防止することができる。従って、補助制動装置８の制動動作をより確実に行うことができる。
【００３５】
また、破断検出体２４及び押し部材２５は、共通の回動軸２１の軸線を中心に一体に回動可能になっているので、構造をさらに簡素化することができるとともに、補助制動装置８の製造も容易にすることができる。
【００３６】
また、破断検出体２４は、駆動チェーン１４上で摺動するシュー２７と、シュー２７に回動可能に接続され、回動軸２１の軸線を中心に回動可能なレバー２８とを有しているので、レバー２８の駆動チェーン１４に対する傾きが変化しても、シュー２７の駆動チェーン１４に対する摺動状態を一定に保つことができる。
【００３７】
また、係合用ポール２２は、回動軸２１の軸線を中心に回動可能になっているので、回動軸２１を、係合用ポール２２、破断検出体２４及び押し部材２５を支持する共通の部品とすることができる。これにより、部品の共通化を図ることができ、補助制動装置８の小形化、構造の簡素化及びコストの低減を図ることができる。
【００３８】
また、押し部材２５は、係合用ポール２２に上方から係合する突出板３０を有しているので、解除位置よりも下方に位置する制動位置へ係合用ポール２２が変位されるときに、係合用ポール２２の変位が押し部材２５で阻害されることを回避することができる。これにより、押し部材２５に押されずに係合用ポール２２が単独で制動位置へ変位されるときに、係合用ポール２２の制動位置への変位をより確実に行うことができる。
【００３９】
また、破断検出体２４は、アクチュエータ２３の力に逆らって、押し部材２５で押しながら係合用ポール２２を制動位置へ変位させるだけの質量を持っているので、駆動チェーン１４が破断したときに、係合用ポール２２の制動位置への変位をさらに確実に行うことができ、補助制動装置８の制動動作をさらに確実に行うことができる。
【００４０】
なお、上記の例では、係合用ポール２２がラチェットホイール１６の外周部の歯１６ａと係合することによりスプロケット装置７に制動力を与えるようになっているが、係合用ポール２２により制動力が与えられる回転体を、ラチェットホイール１６ではなく、例えば駆動スプロケット１２等としてもよい。この場合、ラチェットホイール１６は、なくてもよい。この場合、係合用ポール２２が駆動スプロケット１２を挟む形状になっており、係合用ポール２２が駆動スプロケット１２に接触して駆動スプロケット１２を挟むことにより、駆動スプロケット１２に制動力が与えられる。
【００４１】
また、上記の例では、駆動チェーン１４が破断すると破断検出体２４が保持位置から検出位置へ自重で変位されるようになっているが、駆動チェーン１４に載せられた破断検出体２４が検出位置へ変位される方向へ破断検出体２４を付勢ばね（付勢体）で付勢するようにしてもよい。このようにすれば、駆動チェーン１４が破断したときに、付勢ばねの付勢力により保持位置から検出位置へ破断検出体２４をより確実に変位させることができる。
【００４２】
また、上記の例では、この発明がエスカレータに適用されているが、動く歩道（乗客コンベヤ）にこの発明を適用してもよい。
【符号の説明】
【００４３】
８  補助制動装置、２１  回動軸、２２  係合用ポール（制動体）、２３  アクチュエータ、２４  破断検出体、２５  押し部材、２７  シュー、２８  レバー、３０  突出板（突出部）。
【図１】
2013147299.tif 000003
【図２】
2013147299.tif 000004
【図３】
2013147299.tif 000005
【図４】
2013147299.tif 000006
【図５】
2013147299.tif 000007
【図６】
2013147299.tif 000008
【図７】
2013147299.tif 000009